(57)【要約】【課題】回路の接続を簡便化させて故障の発生を低減し、マグネットセンサの動作が正常か否かを予め知ることができる盗難防止表示型マグネットセンサを提供する。【解決手段】盗難防止表示型マグネットセンサは、共用回路１２１、常閉回路１２２および常開回路１２３を回路に含む安全システムに配置され、スイッチ１、磁石２および発光素子１３を備える。スイッチ１は、共用回路１２１に接続され、常閉回路１２２または常開回路１２３と選択的に接続されるリードスイッチの金属リード１１を有する。磁石２は、スイッチ１に対応した箇所でスイッチ１の外側に配置され、磁石２がスイッチ１に近づくと、リードスイッチの金属リード１１が磁石２の磁気吸引力により常閉回路１２２から離されて常開回路１２３に接触し、常閉回路１２２が断線状態になり、反対に磁石２がスイッチ１から離されると、リードスイッチの金属リード１１が常閉回路１２２に接触し、常閉回路１２２が導電状態になる。【選択図】図４
0003139596.tif 000002
【実用新案登録請求の範囲】
【請求項１】
共用回路、常閉回路および常開回路を回路に含む安全システムに配置され、スイッチ、磁石および発光素子を備える盗難防止表示型マグネットセンサであって、
前記スイッチは、前記共用回路に接続され、前記常閉回路または前記常開回路と選択的に接続されるリードスイッチの金属リードを有し、
前記磁石は、前記スイッチに対応した箇所で前記スイッチの外側に配置され、前記磁石が前記スイッチに近づくと、前記リードスイッチの前記金属リードが前記磁石の磁気吸引力により前記常閉回路から離されて前記常開回路に接触し、前記常閉回路が断線状態になり、反対に前記磁石が前記スイッチから離されると、前記リードスイッチの前記金属リードが前記常閉回路に接触し、前記常閉回路が導電状態になり、
前記発光素子は、前記常閉回路と直列に接続されていることを特徴とする盗難防止表示型マグネットセンサ。
【請求項２】
前記発光素子は発光ダイオードであることを特徴とする請求項１に記載の盗難防止表示型マグネットセンサ。
【請求項３】
前記発光素子は電球であることを特徴とする請求項１に記載の盗難防止表示型マグネットセンサ。
【考案の詳細な説明】
【技術分野】
【０００１】
本考案は、盗難防止マグネットセンサに関し、特に安全システムの常閉回路に発光素子が直列に接続された盗難防止表示型マグネットセンサに関する。
【背景技術】
【０００２】
盗難防止マグネットセンサは、一般に盗難を防止する物の固定具（例えば、ドアフレーム）および可動子（例えば、扉）の各々にそれぞれ装着されたマグネットセンサ本体および磁石部材を含む。扉が閉じられて、マグネットセンサ本体と磁石部材とが感知範囲内となると、マグネットセンサ本体のリードスイッチの接点が短絡状態となり、リターン電流が正常となると、使用状態が正常であることが検知される。また、扉が開けられると、磁石部材が扉に伴って移動し、マグネットセンサ本体から離れる。そして、このマグネットセンサ本体が磁石部材の磁力線の範囲から離れ、このリードスイッチの接点が磁力の吸引力を受けずにオープン状態になると、リターン電流の消失または減衰が発生し、使用状態が異常であると判断し（すなわち侵入者がいる可能性がある）、コントローラを介して警報アラームを発するか、その他の方法により警告する。
【０００３】
しかし、従来のマグネットセンサは、検知することが不可能なことがあり、その主な原因としては以下のものがあった。
【０００４】
（１）マグネットセンサが常に使用状態となり、磁石部材が長時間接触されることによりリード接点が磁化してしまう。そのため、扉が開けられてもリード接点が導電状態に維持され、適時オープン状態にすることができないことがあった。そのため、扉がすでに開かれているか否かを適時検知することができなかった。
【０００５】
（２）マグネットセンサ本体のリードスイッチは、内部が真空状態であるガラス管に封入されている。そのため、ガラス管が破裂すると空気が入ってリード接点が酸化され、電流値が減衰されることがあった。これらの理由により、マグネットセンサは、検知動作が不正確となったり正常に使用することができなくなることがあった。
【０００６】
上述のような状況が発生することを防ぐために、従来のマグネットセンサのなかには、マグネットセンサが正常に作動するか否かを予め検知できるように改良されたものがあった。
【０００７】
図１および図２を参照する。図１は、従来のマグネットセンサを示す模式図である（例えば特許文献１）。図２は、図１の回路図である。図１および図２に示すように、マグネットセンサ本体１００内部のリードスイッチ１０６は、外付けされた信号電源線１０７の接点上で、発光ダイオード１０８と抵抗１０９との間で直列に接続されている。抵抗１０９は、各コントローラに応じて、適切な抵抗値が設定されている。そして、磁石１０１がマグネットセンサ本体１００から離れると、リードスイッチ１０６の接点がオープン状態となり、発光ダイオード１０８の回路に電流が通り、発光ダイオードが点灯する。このように、発光ダイオード１０８が点灯しているか否かにより、マグネットセンサの動作が正常か否かを判断することができる。また、発光ダイオード１０８が点灯しない場合は、リードスイッチ１０６の接点が導電状態に維持され、マグネットセンサの動作の異常を知ることができる。このように、発光ダイオードが点灯しているか否かにより、マグネットセンサが正常に動作しているか否かを判断し、故障を早期に発見して修理することができる。
【０００８】
従来の盗難防止マグネットセンサは、マグネットセンサ内部のリードスイッチに外付けされた信号電源線の接点上に発光ダイオードと抵抗との間に直列に接続することにより、各コントローラに応じて抵抗１０９の抵抗値を適切に設定し、通過するリード接点の信号電流が設定値内か否かと、コントローラ内にリターンするか否かとを発光ダイオード１０８の発光と関連させることにより、マグネットセンサが正常に動作しているか否かを判断する。しかし、このような回路構造の場合、必要な部品が多くなる上、抵抗１０９に対して設定値を設定する必要があった。さらに抵抗１０９が故障した場合、検知することができなくなった。
【０００９】
また、従来の盗難防止マグネットセンサを複数接続して使用する場合、各マグネットセンサ間を並列に接続して使用することができず、直列に接続して使用することしかできなかった。さらに、直列に接続して使用する場合、マグネットセンサのうちの一つに故障が発生して断線すると、残りのマグネットセンサの正常な動作に影響を与えることがあった。
【００１０】
【特許文献１】台湾特許第３２２９９１号公報
【考案の開示】
【考案が解決しようとする課題】
【００１１】
本考案の目的は、安全システムの常閉回路に発光素子を直列に接続し、回路の接続を簡便化させて故障の発生を低減し、マグネットセンサの動作が正常か否かを予め知ることができる盗難防止表示型マグネットセンサを提供することにある。
【課題を解決するための手段】
【００１２】
（１）本考案は上記目的を達成するため、共用回路、常閉回路および常開回路を回路に含む安全システムに配置され、スイッチ、磁石および発光素子を備える盗難防止表示型マグネットセンサであリ、前記スイッチは、前記共用回路に接続され、前記常閉回路または前記常開回路と選択的に接続されるリードスイッチの金属リードを有し、前記磁石は、前記スイッチに対応した箇所で前記スイッチの外側に配置され、前記磁石が前記スイッチに近づくと、前記リードスイッチの前記金属リードが前記磁石の磁気吸引力により前記常閉回路から離されて前記常開回路に接触し、前記常閉回路が断線状態になり、反対に前記磁石が前記スイッチから離されると、前記リードスイッチの前記金属リードが前記常閉回路に接触し、前記常閉回路が導電状態になり、前記発光素子は、前記常閉回路と直列に接続されていることを特徴とする盗難防止表示型マグネットセンサを提供する。
【００１３】
このような構成によれば、発光素子が発光しているか否かにより、マグネットセンサが正常に動作しているか否かを判断し、故障を早めに発見して修理することが可能となる。
【考案の効果】
【００１４】
本考案の盗難防止表示型マグネットセンサは、安全システムの常閉回路に発光素子を直接直列に接続するため、抵抗値を設定する必要がない。そのため、全体の回路が簡単になり、故障の発生を低減させることができる。また、信号電源と並列に接続させるため、そのうちの１つのマグネットセンサが故障しても、残りのマグネットセンサの正常な使用に影響を与えることがない。
【考案を実施するための最良の形態】
【００１５】
以下、本考案の盗難防止表示型マグネットセンサの実施の形態を図面を参考にして詳細に説明する。
【００１６】
図３を参照する。図３に示すように、本考案の一実施形態による盗難防止表示型マグネットセンサは、互いに対応するように配置されたスイッチ１および磁石２を含む。このスイッチ１は、防護する物の固定具（例えば、ドア、窓枠、電（手）動シャッター、窓取り付け型クーラーまたは分離式クーラーのフレーム）上に装着され、その内部に必要な回路が配置された上、回路の電線が外部まで延伸されている。磁石２は、防護する物の可動子（例えば、扉、窓または電（手）動シャッター）上に装着され、スイッチ１に対応するように配置されている。
【００１７】
図４を参照する。図４に示すように、本考案の一実施形態による盗難防止表示型マグネットセンサは、安全システム１２上に配置されている。この安全システム１２の回路には、共用（ＣＯＭ）回路１２１、常閉（Ｎ．Ｃ．）回路１２２および常開（Ｎ．Ｏ．）回路１２３が含まれている。スイッチ１は、安全システム１２の共用回路１２１が接続されたリードスイッチの金属リード１１を有する。そして、リードスイッチの金属リード１１は、安全システム１２の常閉回路１２２または常開回路１２３と選択的に接続させることができる。この常閉回路１２２には、発光素子１３が直列に接続されている。この発光素子は、発光ダイオードや電球などでもよい。
【００１８】
上述の構成により、磁石２がスイッチ１に近づくと（すなわち扉が閉じられると）、リードスイッチの金属リード１１が磁石の磁気吸引力により常閉回路１２２から離れて常閉回路が断線（ＯＦＦ）状態となり、発光素子１３が発光しなくなる。反対に磁石２がスイッチ１から離れると（すなわち扉が開けられると）、リードスイッチの金属リード１１が常閉回路１２２に接触し、常閉回路が導電（ＯＮ）状態となり、発光素子１３が発光する。マグネットセンサの動作が正常か否かは、発光素子１３が発光しているか否かにより判断することができる。つまり、扉が開けられても発光素子１３が発光しないときは、リードスイッチの金属リード１１が依然として常開回路１２３に接触していることを表し、これによりマグネットセンサの動作が異常であると判断できる。このように、修理する必要があるか否かを予め知ることができる。
【００１９】
図５は、本考案の他の実施形態による盗難防止表示型マグネットセンサを複数接続して使用するときの状態を示す回路図である。図５に示すように、本実施形態の盗難防止表示型マグネットセンサは、並列に接続して使用することができるため、万一マグネットセンサのうちの一つが故障しても、残りのマグネットセンサの正常な使用に影響を与えることがない。
【００２０】
上述したように、本考案の盗難防止表示型マグネットセンサは、抵抗素子を使用していないため、抵抗値を設定する必要がない上、回路の構造が簡単となり、それぞれのマグネットセンサの間で並列に接続して使用することができる。そのため、残りのマグネットセンサの正常な使用に影響を与えることがない。
【００２１】
当該分野の技術を熟知する者が理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００２２】
【図１】従来の盗難防止マグネットセンサを示す模式図である。
【図２】図１の回路図である。
【図３】本考案の一実施形態による盗難防止表示型マグネットセンサのスイッチおよび磁石を示す斜視図である。
【図４】本考案の一実施形態による盗難防止表示型マグネットセンサが常閉回路上に発光素子が１つだけ接続されたときの状態を示す回路図である。
【図５】本考案の他の実施形態による盗難防止表示型マグネットセンサを複数接続して使用するときの状態を示す回路図である。
【符号の説明】
【００２３】
１…スイッチ、１１…リードスイッチの金属リード、１２…安全システム、１２１…共用回路、１２２…常閉回路、１２３…常開回路、１３…発光素子、２…磁石、１００…マグネットセンサ本体、１０１…磁石、１０６…リードスイッチ、１０７…信号電源線、１０８…発光ダイオード、１０９…抵抗
【図１】
0003139596.tif 000003
【図２】
0003139596.tif 000004
【図３】
0003139596.tif 000005
【図４】
0003139596.tif 000006
【図５】
0003139596.tif 000007